(57)【要約】【課題】  パチスロ機のコイン貯留皿において、シャッター板の開閉時のコインの食い込み防止。【解決手段】  コイン貯留皿の底部に開設したコイン抜き孔と、該コイン抜き孔を開閉するシャッター板を備え、該シャッター板をばねで閉塞方向に付勢し操作手段で開放するものにおいて、コイン貯留皿とシャッター板との対向する摺動面に相互に嵌合しうるコインの径より巾の狭い複数の凹凸条を縦方向又は横方向に並行に設けたパチスロ機におけるコイン抜き装置。【選択図】        図２
2005169152.tif 000002
【特許請求の範囲】
【請求項１】
コイン貯留皿の底部に開設したコイン抜き孔と、該コイン抜き孔を開閉するシャッター板を備え、該シャッター板をばねで閉塞方向に付勢し操作手段で開放するものにおいて、
コイン貯留皿とシャッター板との対向する摺動面に相互に嵌合できる複数の凹凸条を縦又は横方向に並行に設け、コイン貯留皿のシャッター板を開閉時その凹凸条でコインの挟み込みを阻止できるようにしたことを特徴とするパチスロ機におけるコイン抜き装置。
【請求項２】
前記凹凸条の凹部および凸部の巾をコインの直径より狭くしたことを特徴とする請求項１記載のパチスロ機におけるコイン抜き装置。
【請求項３】
前記凹凸条を波型とした請求項１又は２記載のパチスロ機におけるコイン抜き装置。
【発明の詳細な説明】
【技術分野】
【０００１】
この発明はスロットルマシン、特にパチスロ機の前面に設けられたコイン貯留皿のコイン抜き装置に関し、特にコインを貯留皿よりコインを抜き取る際にコインが開閉部の隙間に挟まることを阻止しうるようにしたパチスロ機におけるコイン抜き装置に関するものである。
【背景技術】
【０００２】
従来、パチンコ機では賞球受皿の球抜き装置として、受皿の底部に球抜き孔を開閉するシャッター板をばねで閉塞方向に付勢し、ばねに抗してシャッター板を移動して球抜き孔を開放して球抜きを行うものは公知である。パチンコ球の場合には球体であって、コインのように薄くないので、開閉部の隙間に球が挟まるようなことはなく問題ないが、パチスロ機のコインの場合厚みが薄いために開閉部の隙間に挟まりやすいので、コイン抜きを備えたものは使用されておらず、従来のパチスロ機のコイン貯留皿は単に受け皿が固定されているだけで、遊戯者は遊戯を終わり獲得したコインの精算をするとき、或いは中途で台を変えるときには受皿に貯えた多量のコインをコイン箱に手で掻き出して入れるのが現状である。
【発明の開示】
【発明が解決しようとする課題】
【０００３】
従来のパチスロ機のコイン貯留皿にパチンコ機の球受皿と同じ摺動構造のシャッター板を設けると、球受皿に相当するコイン貯留皿とシャッター板とは摺動しやすいようにある程度の隙間を設けるが、その組付け方が悪いと予め決めた隙間より広い隙間ができたり、或いは貯留皿、シャッター板の成形時の収縮率等で変形を生じて組付け時に貯留皿とシャッター板との間に広い隙間ができてしまうことがあり、シャッター板を開閉操作するときにシャッター板の上に乗ったコインが貯留皿とシャッター板との広い隙間に挟まりやすく、しばしばシャッター板が開閉不能となったり、或いは遊戯者が意識的にコインをその隙間に突っ込むような悪戯をして開閉不能とすることがあり、従業員を呼んで挟まったコインを取り出してもらわなければならず、不都合であり、又、コインを挟み込んで半開きのままになっていることを次の遊戯者が気がつかないでその受皿にコインを入れたとき、或いは遊戯中に入賞コインが出るとコインが半開きのコイン抜き孔を通じて床面へ落下して飛散するなどの不都合が生じることがあった。
【０００４】
又シャッター板を球受皿の下方へ開放できるように一端で枢支し、ばねの復元力で閉じる構造では、シャッター板上に多数のコインが乗って荷重がかかるため、シャッター板を閉じている時に開かないようにバネを強くして閉止するか、或いは閉止状態に保持する保持機構が必要となる。しかし、あまりばねを強くするとコインを抜く時にシャッター板を下方へ押下げるのにかなりの力を要し、又保持機構で保持するものでは構造がかなり複雑で、コスト高となり、しかも複雑故に壊れやすいという問題があり、従来パチスロ機の貯留皿にはコイン抜きが設けられていない。従って、遊戯終了時とか、途中で移動する時、貯留皿からいちいち多量のコインをコイン箱に掻き出さなければならず面倒であった。
【０００５】
この発明はこのような問題を解決するもので、コイン貯留皿とシャッター板との摺動面に凹凸条を設けて相互に嵌合してシャッター板を開閉できるようにし、シャッター板の開閉時にコインが凹凸条に当って、貯留皿とシャッター板との隙間に絶対に挟まらない構造とし、コイン抜きを簡単かつ確実にできるパチスロ機におけるコイン抜き装置を提供することを目的とする。
【課題を解決するための手段】
【０００６】
この発明のパチスロ機におけるコイン抜き装置の請求項１は、コイン貯留皿の底部に開設したコイン抜き孔と、該コイン抜き孔を開閉するシャッター板を備え、該シャッター板をばねで閉塞方向に付勢し操作手段で開放するものにおいて、コイン貯留皿とシャッター板との対向する摺動面に相互に嵌合できる複数の凹凸条を縦又は横方向に並行に設け、コイン貯留皿のシャッター板を開閉時その凹凸条でコインの挟み込みを阻止できるようにしたことを特徴とするものである。
【０００７】
前記した構成の第１の発明によれば、コイン貯留皿とシャッター板との対向する摺動面に凹凸条を設けたので、シャッター板を開閉して貯留皿に貯えたコインを抜く時にシャッター板上のコインがコイン貯留皿のコイン抜き孔の内周に当たる時、コインはかならず貯留皿の凹凸条に当たって貯留皿とシャッター板との隙間に挟まることがなく、しかも凹凸条がガイドの役目をしてシャッター板を的確に開閉をでき、コインを下方に臨ませたコイン箱に落とすことができる。
【０００８】
請求項２の発明は、前記凹凸条の凹部および凸部の巾Ｌをコインの直径Ｄより狭くしたことを特徴とするものである。
【０００９】
前記した構成の第２の発明によれば、コイン貯留皿とシャッター板との対向する摺動面にコインの直径Ｄより巾狭の凹部および凸部からなる凹凸条を設けたので、コインがシャッター板の凹部にすっぽりと入ることなく、シャッター板を開閉して貯留皿に貯えたコインを抜く時にシャッター板上のコインがコイン貯留皿のコイン抜き孔の内周に当たるも、コインは貯留皿の巾狭の凹凸条に当たるので、隙間に偶然挟まることはなく、また無理に隙間にコインを突っ込むこともできず、シャッター板の開閉を確実に行い、コインを下方に臨ませたコイン箱に落とすことができる。
【００１０】
請求項３の発明は、前記凹凸条を波型としたことを特徴とするものである。
【００１１】
前記構成とした第３の発明によれば、シャッター板の凹凸条を波型としたので、コインが引っ掛かりにくく、シャッター板上でコインが立つのを防ぎ、コインをほぼ横にして積み重ねて貯えることができる。
【発明の効果】
【００１２】
この発明の請求項１のパチスロ機におけるコイン抜き装置によれば、コイン貯留皿に遊戯者が獲得した入賞コインを取出すとき、コイン箱を下方に臨ませて操作手段でシャッター板を開放するだけで、簡単かつ迅速にコインをコイン箱に入れることができて便利である。特に、そのコイン抜きを行う際にコイン貯留皿とシャッター板との間は凹凸条で相互に嵌合してあるので、シャッター板を開閉するときに、コインがコイン抜き孔の内周に当たるも、コインは凹凸条で阻止され、偶然に挟まることはなく、また遊戯者が悪戯でコインを隙間に入れようとしても、凹凸条で阻止されて突っ込むことができず、従ってシャッター板の開閉を確実にでき、貯留皿上のコインをコイン箱に全部速やかに落とすことができ、また確実に閉めるので、コインが誤って飛び散ることも防ぐことができる。
【００１３】
請求項２の発明によれば、凹凸条の凹部と凸部の巾をコインの直径より狭くしたので、コインをコイン貯留皿とシャッター板との凹部と凸部の隙間に突っ込むことはできず、従って隙間があるもコインが偶然に挟まることはなく、又コインを悪戯で入れることもできず、コイン抜きを確実に行うことができる。
【００１４】
請求項３の発明によれば、凹凸条を波型のなめらかな曲線としたので、入賞コイン排出口より排出されるコインがシャッター板上で立つことなく、波型上でほぼ横になりたくさん積み重ねることができ、シャッター板の掃除もしやすい。
【発明を実施するための最良の形態】
【００１５】
この発明の実施形態は、図１乃至図４に示すように、パチスロ機ＡのコインＣを貯めるコイン貯留皿１の底部１ａにコイン抜き孔２を開設し、貯留皿の下面に枠板９を設け、該貯留皿と枠板間に前記コイン抜き孔２の下面に操作手段５を有するシャッター板３を横方向に開閉自由に備え、該シャッター板３をばね４で閉塞方向へ付勢してシャッター板３に設けた操作手段５でシャッター板３をばね４に抗して開放係止しうるようにしたものにおいて、このコイン貯留皿１の底部１ａの下面と、シャッター板３の上面との対向する摺動面に複数の凹凸条６、７を横方向に並行に設け、凹凸条６と７を相互に若干の隙間を存して嵌合し、コイン貯留皿のシャッター板３を横方向に開閉する時にコイン貯留皿１とシャッター板３の凹凸条６、７でコインＣの挟み込みを阻止でき、またこの凹凸条がガイドの役目をしてシャッター板３を摺動できるようにしてある。
【００１６】
この実施形態では、貯留皿の凹凸条６とシャッター板の凹凸条７とを断面歯形の凹凸として、その凹部と凸部の隙間にコインが横向きにすっぽりと入らないようにコインＣの径Ｄより巾Ｌの狭い凹部と凸部を横方向に並行に設け、シャッター板の移動時にその凸部の上に乗るコインＣがシャッター板３の凹部との隙間に入ることなく、コイン貯留皿１の凹凸条６の端に必ず当たるようにしてある。前記歯形の凹凸を図では作図上、角を付けてあるが、コインが引っ掛からないように、又角面の欠落とか摩耗を防ぐためにアールを付けるのが好ましい。
【００１７】
コイン貯留皿１とシャッター板３の摺動方向の隙間にコインが入らないようにしたが、摺動方向と直角のシャッター板の両端と貯留皿１のコイン抜き孔２の内周との間にもコインが入らないような構造とする。図５の実施形態では、シャッター板３の両端の凸部７ｂ’の高さを他の凸部７ｂより低くして凸部７ｂと段差を付けることによりコインを隙間に入れようとしてもコインが必ず斜めとなって隙間に入らないようにしてある。又図６の実施形態では、貯留皿１のコイン抜き孔２の両端にコイン阻止壁１６を設け、シャッター板３の両端の凹部７ａに嵌合させて、貯留皿１とシャッター板３との摺動方向に直角方向の隙間にもコインが入らないようにしてある。
【００１８】
図７乃至図９に示す実施形態では、前記凹凸条６、７を波型にした場合を示す。コイン貯留皿１の底部１の下面と、シャッター板３の上面の対向する摺動面に設ける凹凸条６、７の形状を波型の凹凸とし、その波型の凹部および凸部の巾をコインＣの直径Ｄより狭くしてコインＣがコイン貯留皿１の波型の凹凸の端に当たるようにしてある。凹凸条は入賞コイン排出口８より排出されるコインがシャッター板３の奥側の凹凸条７に斜めに入って立つと後から排出されるコインが立ったコインの後ろに盛り上がるようになって不都合であるから、凹凸条７はなるべく滑らかなウエーブの波型の曲線としてコインが引っ掛からないようにするのが好ましい。凹凸条７を波型とすれば、掃除がしやすい。
【００１９】
図１０乃至図１２に示す実施形態は、パチスロ機Ａのコイン貯留皿１の下面に枠板９を設け、該貯留皿と枠板間の前記コイン抜き孔２の下面に操作手段５を有するシャッター板３を前後方向に開閉自由に備え、該シャッター板３をばね４で閉塞方向へ付勢してシャッター板３に設けた操作手段５でシャッター板３をばね４に抗して引き出してコイン抜き孔２を開放するようにしたものを示す。この実施形態の貯留皿１とシャッター板３には、コイン貯留皿１の底部１ａの下面とシャッター板３の上面の対向する摺動面に複数の凹凸条６、７を前後方向、すなわち縦方向に並行に設け、凹凸条６と７を相互に若干の隙間を存して嵌合して手前に摺動可能としてある。この凹凸条６、７は前記実施形態と同じく、凹部および凸部の巾をコインＣの直径より狭くしてコインＣがコイン貯留皿１の凹凸の端に当たるように設ける。なお、貯留皿１とシャッター板の摺動方向と直角方向の嵌合構造は前記した図５、図６と同様にコインが入らないようにしてある。
【００２０】
以上の実施形態を示したが、この発明はこの形態に限定されるものではなく、この発明の要旨を逸脱しない範囲において、様々な形態で実施しうるものである。
【実施例】
【００２１】
以下にこの発明のパチスロ機におけるコイン抜き装置の実施例を説明する。
実施例１
図１乃至図５において、シャッター板を横方向にスライドしてコイン抜き孔を開閉する形式のコイン抜き装置を説明する。１はパチスロ機の下方前面に固定される合成樹脂製、金属製のコイン貯留皿で、コインが前方へ滑るように若干前方へ傾斜状に形成し、コイン排出口８を通じて落下するコインＣを受け入れるようにしてある。このコイン貯留皿１の底部１ａには四角形、円形その他適宜形状のコイン抜き孔２を開設してあり、底部下面に備えるシャッター板３をばね４で閉塞方向に付勢して閉じ、コインの落下を防止するようにしてある。
【００２２】
この実施例における合成樹脂製、金属製等のシャッター板３は前記貯留皿１の底部１ａの下面に取付ける合成樹脂製枠板９の上面に収めるようにしてある。すなわち、この枠板９は上面にシャッター板３を収める溝孔１０を形成し、シャッター板３を傾斜状として摺動可能に備え、前記溝孔１０に沿って左右方向に摺動自由とし、コイン抜き孔２を開閉するようにし、かつ底面にはコイン落下孔１１を設けてある。そして常時はシャッター板の一側下面に設けたばね受け１２と枠板９の内壁との間にばね４を介在させてシャッター板３を常時閉塞方向に付勢させる。そして、コインを抜く時には、枠板９のコイン落下孔１１の直下に遊戯者がコイン箱Ｂを臨ませる。前記実施例で貯留皿は傾斜状としたが、それに限られるものではなく、水平でもよい。
【００２３】
コイン貯留皿１の底部１ａの下面の摺動面、すなわちコイン抜き孔２の両側の摺動面にコインＣの径より巾の狭い凹部６ａと凸部６ｂからなる複数の凹凸条６と、シャッター板３の上面の摺動面にコインＣの径より巾の狭い凹部７ａと凸部７ｂからなる複数の凹凸条７を横方向に並行に設けて凹凸条６、７間に若干の隙間を存して相互に嵌合し、しかもその凹凸条がガイドの役目をして凹凸条に沿ってシャッター板３を摺動でき、コイン貯留皿のシャッター板３を横方向に開閉時にコイン貯留皿とシャッター板の凹凸条でコインの挟み込みを阻止するようにしてある。このシャッター板の操作手段として前部に摘み部５を一体形成し、枠板９の上面溝孔１０にシャッター板３を左右に摺動自由に備え、シャッター板の開放位置において係止しうるようにしてある。
【００２４】
シャッター板３を開放位置に係止する手段として、開放位置でシャッター板３の下面の係止突起１３が枠板９の溝孔１０の係止凹部１４に嵌合可能に設けてある。シャッター板を開放位置に係止する構造は前記のものに限られるものではなく、例えば図１３に示すように、貯留皿１の前面に摘み部５の開放位置にコインＣを挟み込む溝孔１５を設け、シャッター板を開く際には摘み部５を開放位置に移動して摘み部５の後部でコインを溝孔１５に差し込み、摘み部５がばねで戻ろうとする力でコインに当たってコインを挟持して摘み部５を止める。シャッター板３を閉じる時には差し込んだコインを溝孔１５より抜くと、直ちに摘み部５はばねにより戻されてコイン抜き孔２を閉じることができる。
【００２５】
前記実施例の貯留皿には断面歯形の凹部６ａと凸部６ｂからなる凹凸条６と、シャッター板３の上面には断面歯形の凹部７ａと凸部７ｂからなる凹凸条７とが、コインＣの径Ｄより巾Ｌの狭い凹部６ａ、７ａと凸部６ｂ、７ｂを横方向に並行に設けてある。前記歯形の凹凸を図では作図上、角を付けてあるが、コインが引っ掛からないように、又角面の欠落とか摩耗を防ぐためにアールを付けるのが好ましい。
【００２６】
摺動方向と直角のシャッター板の両端と貯留皿１のコイン抜き孔２の内端との間にもコインが入らないような構造とする。図５の実施例は、シャッター板３の両端の凸部７ｂ′の高さを他の凸部７ｂより低くし、貯留皿側の凹部６ａ′を浅くして、両端の隙間の位置を凸部７ｂと段差を付け、コインを隙間に入れようとしてもコインが必ず斜めとなって隙間に入らないようにしてある。又、図６の実施例は、貯留皿１のコイン抜き孔２の両端にＬ型のコイン阻止壁１６を設け、シャッター板３の両端の凹部７ａに嵌合させて、隙間を隠すようにしてある。
【００２７】
図７乃至図９に示す実施例は、前記凹凸条６、７を波型にした場合を示す。コイン貯留皿１の底部１ａの下面の摺動面に波型の凹凸条６を形成し、かつシャッター板３の上面の摺動面に波型の凹凸条７を形成する。その波型の凹部及び凸部の巾をコインＣの直径Ｄより狭くしてコインＣがコイン貯留皿１の波型の凹凸の端に当たるようにしてある。凹凸条は入賞コイン排出口８より排出されるコインがシャッター板３の奥側の凹凸条７に斜めに入って立つと後から排出されるコインが立ったコインにつかえて後ろに盛り上がるようになって不都合であるから、凹凸条はなるべく滑らかなウエーブの波型の曲線としてコインが引っ掛って立つことのないようにするのが好ましい。波型としたので掃除するとき引っ掛かることなく掃除がしやすい。
【００２８】
実施例２
図１０乃至図１２に示す実施例で、シャッター板を手前に引出してコイン抜き孔を開閉する形式のコイン抜き装置を説明する。パチスロ機Ａのコイン貯留皿１下面の枠板９にコイン抜き孔２の下面に操作手段５を有するシャッター板３を前後方向に開閉自由に備え、該シャッター板３をばね４で常時閉塞方向へ付勢してシャッター板３に設けた操作手段５でシャッター板３をばね４に抗して引出してコイン抜き孔２を開放するようにしてある。
【００２９】
この実施例の貯留皿１とシャッター板３には、コイン貯留皿１の底部１ａの下面の摺動面、すなわちコイン抜き孔２の前部と後部の摺動面にコインＣの径より巾の狭い凹部と凸部からなる複数の凹凸条６と、シャッター板３の上面の摺動面に凹部と凸部からなる複数の凹凸条７を前後方向、すなわち、縦方向に並行に設けて凹凸条６、７間に若干の隙間を存して相互に嵌合して前後に摺動可能としてあり、しかもその凹凸条がガイドの役目をして凹凸条に沿ってシャッター板３を摺動でき、コイン貯留皿のシャッター板３を前後方向に開閉時にコイン貯留皿とシャッター板の凹凸条でコインの挟み込みを阻止するようにしてある。
【００３０】
このシャッター板３は操作手段として前部に指掛け部５ａを有する摘み部５を設け、枠板９の上面の溝孔１０にシャッター板３を前後に摺動自在に備え、シャッター板の開放位置において係止手段で保持しうるようにしてある。なお、貯留皿１とシャッター板の摺動方向と直角方向の嵌合構造は前記した図５、図６のようにしてコインが入らないようにしてある。又、操作手段５はシャッター板３の前部に上部に指掛け部５ａを形成したＬ型の操作部とし、この指掛け部５ａに指を掛けてシャッター板をばねに抗して引出すようにしてある。
【００３１】
上記実施例２はシャッター板を手前に引出す場合を示したが、これに限られるものではなく、シャッター板を押しボタンで押して開き、再度押して閉じるようにしたものにも適用することができる。
【図面の簡単な説明】
【００３２】
【図１】この発明のコイン抜き装置を備えたパチスロ機の斜視図である。
【図２】同コイン抜き装置の分解図である。
【図３】同コイン抜き装置の平面図である。
【図４】同縦断面図である。
【図５】貯留皿とシャッター板の嵌合部の要部拡大断面図である。
【図６】同嵌合部の別の実施例の要部拡大断面図である。
【図７】凹凸条を波型とした別の実施例を示す断面図である。
【図８】貯留皿とシャッター板の嵌合部の要部拡大断面図である。
【図９】同嵌合部の別の実施例の要部拡大図である。
【図１０】この発明のコイン抜き装置の別の実施例を示す平面図である。
【図１１】同横断面図である。
【図１２】同縦断面図である。
【図１３】摘み部をコインで止める貯留皿の斜視図である。
【符号の説明】
【００３３】
１…コイン貯留皿、２…コイン抜き孔、３…シャッター板、４…ばね、５…操作手段、６…凹凸条、７…凹凸条。
【図１】
2005169152.tif 000003
【図２】
2005169152.tif 000004
【図３】
2005169152.tif 000005
【図４】
2005169152.tif 000006
【図５】
2005169152.tif 000007
【図６】
2005169152.tif 000008
【図７】
2005169152.tif 000009
【図８】
2005169152.tif 000010
【図９】
2005169152.tif 000011
【図１０】
2005169152.tif 000012
【図１１】
2005169152.tif 000013
【図１２】
2005169152.tif 000014
【図１３】
2005169152.tif 000015